(57)【要約】      （修正有）【課題】厚みを感じさせる重厚感が備わった高い意匠性が得ることができ、また標準のブラケットを用いた手摺の安定的な取付けが可能な腰壁構造を提供する。【解決手段】左右に連続する複数かつ矩形状の化粧板２を具える腰壁構造１であって、前記化粧板が、表面が垂直平面３からなる第１の化粧板２Ａと、少なくとも両側部の表面が、厚さが両側端に向かって漸減することにより水平断面において円弧状の湾曲面４からなる第２の化粧板２Ｂとからなり、或いは第２の化粧板は、前記湾曲面の間が垂直平面からなり、さらには第１の化粧板と、第２の化粧板が交互に配されて左右に連続し、また側端部には、前記第１の化粧板を配置し、また第１、第２の化粧板の垂直平面に、手摺５を支持するブラケット６を取付ける。【選択図】  図２
2004300676.tif 000002
【特許請求の範囲】
【請求項１】
左右に連続する複数かつ矩形状の化粧板を具える腰壁構造であって、
前記化粧板が、表面が垂直平面からなる第１の化粧板と、
少なくとも両側部の表面が、厚さが両側端に向かって漸減することにより水平断面において円弧状の湾曲面からなる第２の化粧板とからなることを特徴とする腰壁構造。
【請求項２】
前記第２の化粧板は、前記湾曲面の間が垂直平面からなることを特徴とする請求項１記載の腰壁構造。
【請求項３】
前記第１の化粧板と、第２の化粧板が交互に配されて左右に連続することを特徴とする請求項１又は２記載の腰壁構造。
【請求項４】
側端部には、前記第１の化粧板を配置することを特徴とする請求項１〜３のいずれかに記載の腰壁構造。
【請求項５】
前記第１、第２の化粧板の垂直平面に、手摺を支持するブラケットを取付けることを特徴とする請求項１〜４のいずれかに記載の腰壁構造。
【発明の詳細な説明】
【０００１】
【発明の属する技術分野】
本発明は、主として装飾の目的で、建築物等を構成する壁の表面に略腰高さよりも低い位置に設けられる腰壁構造に関する。
【０００２】
【従来の技術】
建築物の中でも、住宅、店舗、ホテル等は意匠性を高めるため、無垢木材、化粧合板等を用いて、腰壁を形成することが多く行われる。また、建材生産の工業化に伴い、これら材料を用いた矩形状の腰壁パネルを連続して取付けることにより腰壁を設ける構造が各種提案されている。
（例えば特許文献１参照）。
【０００３】
【特許文献１】
特開２００２−２９４９７２号公報（図２）
【０００４】
【発明が解決しようとする課題】
しかしながら、これら従来のパネル方式の腰壁は、確かに材質的には、木目調など高い装飾性を有するものの、同じ外観でかつ表面が平面形状の腰壁パネルが多数連続して並ぶため、腰壁パネル間の目透かし目地が一定間隔で繰り返されるだけで、立体性を欠く単調な外観となり、重厚感に乏しく、また意匠性が低いものであった。
【０００５】
また、近年高齢者、障害者への配慮のため壁に手摺を設ける必要性が増加している。そしてこれら手摺は機能上、床面から７５０ｍｍの高さを標準とし、これは通常、腰壁の範囲に入る。しかし、例えば装飾等のため固有の表面形状を具えた腰壁上には手摺の取り付けが困難であり、また取付けるにしても専用のブラケットを必要とした。
【０００６】
本発明は、以上のような問題点に鑑み案出なされたもので、奥行きを感じさせ、重厚感が備わった高い意匠性が得ることができ、また標準のブラケットを用い、手摺を安定して取付けることができる腰壁構造の提供を目的としている。
【０００７】
【課題を解決するための手段】
本発明のうち請求項１記載の発明は、左右に連続する複数かつ矩形状の化粧板を具える腰壁構造であって、前記化粧板が、表面が垂直平面からなる第１の化粧板と、少なくとも両側部の表面が、厚さが両側端に向かって漸減することにより水平断面において円弧状の湾曲面からなる第２の化粧板とからなることを特徴としている。
【０００８】
また請求項２の発明は、前記第２の化粧板が、前記湾曲面の間が垂直平面からなることを特徴とし、請求項３記載の発明は、前記第１の化粧板と、第２の化粧板が交互に配されて左右に連続することを特徴としている。
【０００９】
また請求項４記載の発明は、側端部に、前記第１の化粧板を配置することを特徴とし、請求項５記載の発明は、前記第１、第２の化粧板の垂直平面に、手摺を支持するブラケットを取付けることを特徴としている。
【００１０】
【発明の実施の形態】
以下本発明の実施の一形態を図面に基づき説明する。図１〜図５において、本発明の腰壁構造１は、壁本体２１の表面でかつ腰高さよりも低位に、複数かつ矩形状の化粧板２を左右に連続して形成される。
【００１１】
前記壁本体２１は、本例では、縦枠２２ａ、横枠２２ｂ、中桟２２ｃを矩形枠状に枠組みした壁パネル枠２２の両面に、石膏ボード、合板、ＭＤＦ（中質繊維板）等の壁下地材２３を接着、釘止め等で取付けた壁パネル２４を、柱、梁等建物構造体（図示せず）に固定して形成したものであり、壁パネル２４の工場生産により、品質安定と工期を短縮している。本例では、互いに直行する一方の壁パネル２４ａの端側面に、他方の壁パネル２４ｂの端面を当接取付することにより出隅部２５を形成しており、その表面に断面Ｌ字状のコーナー部材２６が取付けられる。
【００１２】
前記化粧板２は、図３に示すように、無垢木材、木材を薄く加工した突板で被覆した化粧合板、化粧樹脂シート貼り合板、リサイクル再生木材等を用い、左右側部の一方にあいじゃくり状の雄実２６ａ、他方に雌実２６ｂを具え、前記雄実２６ａの端面は化粧板２の表面側が裏面側より突出する傾斜面に形成され、前記雌実２６ｂの端面は雄実２６ａの先端形状に一致するように、端面が化粧板２の裏側面が突出する傾斜面に形成されている。
【００１３】
前記化粧板２は、図４に示すように、幅木２９の上に載置するとともに、上端を壁本体２１に腰高に取付けられた水平な見切縁２７の段部２８と壁本体２１間に嵌合された状態で、図３に示すように、その雄実２６ａを釘、ビス等の固着具３０で壁本体２１に固定する。次いで隣接する化粧板２の雌実２６ｂと前記雄実２６ａを重ね合わせ、かつ雄実２６ａの傾斜面に雌実２６ｂの傾斜面を押し付けて前記隣接する化粧板２の一端を固定した状態で他端の雄実２６ａを前記と同様に、固着具３０で壁本体２１に固定する。以下この繰り返しにより化粧板２を、雌実２６ｂ側に固着具を用いず、しかも隣接する化粧板２との間に緩みのない連続した取付を可能としている。
【００１４】
尚、本例では、雌実２６ｂより長く形成した雄実２６ａの基部が一部表面に露出することにより目透かし目地３１を形成し、外観にアクセントを加え、意匠性を高めている。
【００１５】
前記化粧板２は、第１の化粧板２Ａと第２の化粧板２Ｂとからなり、第１の化粧板２Ａは、表面が垂直平面３からなり、高さ５００〜１２００ｍｍ、幅１００〜５００ｍｍ、厚み３〜２０ｍｍの矩形平板で形成され、本例では、高さ７４０ｍｍ、幅２２５ｍｍ、厚み５．５ｍｍであり、また両側に前記雄実２６ａと、雌実２６ｂを具える。
【００１６】
前記第２の化粧板２Ｂは、その表面中央に縦長に形成される垂直平面３の両側部に、厚さが両側端に向かって漸減することにより水平断面において円弧状の湾曲面４を具え、厚みは中央の垂直平面３で５〜５０ｍｍ、湾曲面４で３〜３０ｍｍ、高さ５００〜１２００ｍｍ、幅５０〜３００ｍｍの矩形板で形成され、本例では、厚みは垂直平面３で７ｍｍ、湾曲面４では７ｍｍから両側端に向かって４．５ｍｍに漸減し、高さ７４０ｍｍ、幅１１７ｍｍであり、また湾曲面４表面は、曲率半径１５０ｍｍに曲成される。
【００１７】
また前記湾曲面４は、無垢木材に対しルーター加工等加工機を用いた切削加工、湾曲面４を形成した修正材、ＭＤＦ等の芯材表面への化粧シート貼り加工、リサイクル再生木材の押出し成形等の生産方法により形成する。
【００１８】
このように、本例では、前記第２の化粧板２Ｂが配置されることで、腰壁表面に湾曲面４による凹凸が形成され、かつその表面に立体感と投光を受けて陰影が表れ、深みと厚みを感じさせる重厚感が備わり、高い意匠性が得られる。
【００１９】
更に本例では、第１の化粧板２Ａと第２の化粧板２Ｂを交互に配置して左右に連続している。これにより、第２の化粧板２Ｂにより形成される湾曲状の凹凸が、第１の化粧板２Ａの垂直平面により隔てられて一定間隔で形成されるため、繰り返しのリズムを感じさせ、より高い重厚感が備わり、一層高い意匠性が得られる。
【００２０】
また、図１に示すように、腰壁構造１の側端部に、第１の化粧板２Ａを配置する。化粧板２の取付作業において、腰壁全体の幅の違いは、側端部の化粧板２を切断して調整を行うが、第２の化粧板２Ｂを切断すると、湾曲面４の途中で途切れると外観に違和感が生じて見栄えを悪くする。しかし第１の化粧板２Ａは、どの箇所で切断してもその厚さは一定であり、見栄えを損なうことなく前記調整を容易になしえる。
【００２１】
さらに、腰壁を設ける壁自体の長さ、出入口の位置等の条件により、腰壁の長さは個々に異なる。そこで、図１に示すように、予め計算で得られる腰壁構造１全体の幅調整寸法を等分し、左右の側端部に配置される第１の化粧板２Ａを同幅に切断して配置すると、両側端部の外観のバランスが維持されるため、見栄えが一層良好となる。
【００２２】
また、近年高齢者、障害者への配慮のため壁に手摺５を設ける必要性が増加しており、腰壁構造１においては、図５に示すように、第２の化粧板２Ｂの垂直平面３に、端部ブラケット６ａと中間部ブラケット６ｂを１．５〜２．５ｍの間隔で同じ高さで取付け、水平棒状の手摺５の端部、中間部を支持している。これにより、複雑な取付面の形状に対応した特殊なブラケットを必要とせず、フラットな取付基板３２を具えた普通のブラケット６を用いることができるため、取付作業を標準化でき、また垂直平面に取付けたブラケット６で支持される手摺５の取付強度が安定している。
【００２３】
また、本例では、図２に示すように、出隅部２５を介して直行する双方の壁本体２１ａ、２１ｂに同構成の腰壁構造１を形成しており、コーナー部材２６に隣接する双方の前記第１の化粧板２Ａは、共に同幅に形成して外観を揃えることが好ましい。
【００２４】
図６、図７は、側端部に配置した第１の化粧板２Ａの間に、垂直平面３の両側部に円弧状の湾曲面４を具えた第２の化粧板２Ｂを連続して配置する形態を例示し、湾曲状の凹凸が短い周期で連続的に形成されるため、躍動感に富み、変化を感じさせる高い意匠性が得られる。
【００２５】
また手摺５のブラケット６は、第２の化粧板２Ｂの垂直平面３に取付けられ、第２の化粧板２Ｂが連続するため、ブラケット６の取付ピッチは必要強度に応じてきめ細かく設定でき、これにより手摺が充分な強度で取付される。
【００２６】
図８、図９は、第１の化粧板２Ａと、両側部を含んだ前面全体において、厚さが両側端に向かって漸減する湾曲面４からなる第２の化粧板２Ｂを、交互に配置した形態を例示するものである。本例では、第２の化粧板２Ｂの全面に亘る湾曲面４で形成するの凹凸形状が、立体感の印象を強めると共に表面の陰影が強調され、重厚感を増して、高い意匠性が得られる。本例では、手摺５のブラケット６は、第１の化粧板に取付ける。
【００２７】
【発明の効果】
上述したように、請求項１記載の発明では、左右に連続する複数かつ矩形状の化粧板を具えることを基本とし、化粧板が、表面が垂直平面からなる第１の化粧板と、少なくとも両側部の表面が、厚さが両側端に向かって漸減することにより水平断面において円弧状の湾曲面からなる第２の化粧板とからなるので、第２の化粧板により、表面に湾曲状の凹凸が形成されるため、厚みを感じさせる重厚感が備わり、高い意匠性が得られ、表面が垂直平面のからなる第１の化粧板上に、標準のブラケットを用いて手摺を安定して取付できる。
【００２８】
また前記第２の化粧板の湾曲面の間を垂直平面とすることにより、第２の化粧板上においても、標準のブラケットにより手摺を安定して取付でき、第１の化粧板と、第２の化粧板を交互に配して左右に連続することにより、第２の化粧板による湾曲状の凹凸が、一定間隔で形成されて、繰り返しのリズムを感じる重厚感と、高い意匠性が得られる。
【００２９】
また腰壁構造の側端部に第１の化粧板を配置することにより、見栄えを損なうことなく腰壁の幅の違いの調整を行え、第１、第２の化粧板の垂直平面に、手摺を支持するブラケットを取付けることにより普通のブラケットを用いた標準的な作業により、手摺を安定して取付できる。
【図面の簡単な説明】
【図１】本発明の一実施の形態を例示する正面図である。
【図２】そのＡ−Ａ断面図である。
【図３】そのその要部拡大図である。
【図４】図１のＢ−Ｂ断面図である。
【図５】図１の要部拡大斜視図である。
【図６】本発明の異なる実施の形態を例示する正面図である。
【図７】そのＣ−Ｃ断面図である。
【図８】本発明の更に異なる実施の形態を例示する正面図である。
【図９】そのＤ−Ｄ断面図である。
【符号の説明】
１      腰壁構造
２      化粧板
２Ａ    第１の化粧板
２Ｂ    第２の化粧板
３      垂直平面
４      湾曲面
５      手摺
６      ブラケット
【図１】
2004300676.tif 000003
【図２】
2004300676.tif 000004
【図３】
2004300676.tif 000005
【図４】
2004300676.tif 000006
【図５】
2004300676.tif 000007
【図６】
2004300676.tif 000008
【図７】
2004300676.tif 000009
【図８】
2004300676.tif 000010
【図９】
2004300676.tif 000011